(57)【要約】【課題】共振型のスイッチング電源構成を用いる充電装置において、充電負荷の充電状態にかかわらず安定充電動作を可能とする構成を実現する。【解決手段】充電装置（１）は、直流の入力電圧を生成する直流電源部（２）と、入力電圧を交流変換するスイッチング回路（３）と、スイッチング回路の交流出力を共振させる共振回路（４）と、共振回路の出力を整流及び平滑して直流の出力電圧を充電負荷に投入する出力回路（５）と、出力電圧に対応する充電電圧を検出する電圧検出回路（６）と、スイッチング回路を所定のスイッチング周波数で駆動する駆動部（７０）及び充電電圧の上昇に対して入力電圧が上昇するように直流電源部を制御して入力電圧をフィードフォワード制御する入力電圧フィードフォワード部（７２）を含む制御回路（７）を備える。【選択図】  図１
2017060236.tif 000002
【特許請求の範囲】
【請求項１】
充電装置であって、
直流の入力電圧を生成する直流電源部と、
前記入力電圧を交流変換するスイッチング回路と、
前記スイッチング回路の交流出力を共振させる共振回路と、
前記共振回路の出力を整流及び平滑して直流の出力電圧を充電負荷に投入する出力回路と、
前記出力電圧に対応する充電電圧を検出する電圧検出回路と、
前記スイッチング回路を所定のスイッチング周波数で駆動する駆動部、及び前記充電電圧の上昇に対して前記入力電圧が上昇するように前記直流電源部を制御して前記入力電圧をフィードフォワード制御する入力電圧フィードフォワード部を含む制御回路と
を備えた充電装置。
【請求項２】
請求項１に記載の充電装置において、前記制御回路が、前記充電電圧の上昇に対して前記スイッチング周波数が低下するように前記スイッチング回路を制御して前記スイッチング周波数をフィードフォワード制御する周波数フィードフォワード部を更に含む、充電装置。
【請求項３】
請求項１又は２に記載の充電装置において、前記制御回路が、
前記充電電圧が前記充電設定値に到達した後に、前記充電電圧が前記充電設定値に一致するように前記スイッチング回路を制御して前記スイッチング周波数をフィードバック制御する定電圧制御部を更に含む、充電装置。
【請求項４】
充電装置であって、
直流の入力電圧を生成する直流電源部と、
前記入力電圧を交流変換するスイッチング回路と、
前記スイッチング回路の交流出力を共振させる共振回路と、
前記共振回路の出力を整流及び平滑して直流の出力電圧を充電負荷に投入する出力回路と、
前記スイッチング回路及び前記共振回路に流れる１次電流を検出する電流検出回路と、
前記スイッチング回路を所定のスイッチング周波数で駆動する駆動部、及び前記１次電流が上限値以下となるように前記直流電源部を制御して前記入力電圧をフィードバック制御する入力電圧フィードバック部を含む制御回路と
を備えた充電装置。
【請求項５】
請求項４に記載の充電装置であって、
前記出力電圧に対応する充電電圧を検出する電圧検出回路を更に備え、
前記制御回路が、前記充電電圧が前記充電設定値に一致するように前記スイッチング回路を制御して前記スイッチング周波数をフィードバック制御する定電圧制御部を更に含む、充電装置。
【発明の詳細な説明】
【技術分野】
【０００１】
本発明は充電装置に関する。
【背景技術】
【０００２】
特許文献１はスイッチング電源回路を開示する。このスイッチング電源回路は、スイッチング回路と、スイッチング回路の駆動回路と、トランス１次巻線に得られるスイッチング回路のスイッチング出力を共振させる共振回路と、共振回路の出力を整流平滑動作して２次側直流電圧を生成する回路と、２次側直流電圧が基準電圧に一致するようにスイッチング回路のスイッチング周波数をフィードバック制御する制御回路とを備える。
【先行技術文献】
【特許文献】
【０００３】
【特許文献１】特許第５１９４６００号公報
【発明の概要】
【発明が解決しようとする課題】
【０００４】
しかし、特許文献１に開示されるようなスイッチング回路及び共振回路を用いる共振型のスイッチング電源においては、負荷変動に対する適応性が低く、これをそのまま充電装置として利用することが難しい。具体的には、充電負荷の充電電圧が入力電圧に対して低い場合、スイッチング回路及び共振回路における回路電流が過大となる。この過大な電流によってスイッチング回路の故障、共振回路の温度上昇等の問題がもたらされる。これを防止するために、入力電圧を低く設定すると、スイッチング電源としての可能な最大出力電圧が低下する。そして、高い出力電圧を生成するためのスイッチング周波数と、共振回路の共振周波数との間のマージンが小さくなり、部品ばらつき等に対応した設計が困難となるという問題ももたらされる。すなわち、共振型のスイッチング電源を充電装置に応用する場合には、充電負荷の充電状態にかかわらず安定充電動作を可能とする構成が求められる。
【０００５】
そこで、本発明は、共振型のスイッチング電源構成を用いる充電装置において、充電負荷の充電状態にかかわらず安定充電動作を可能とする構成を実現することを課題とする。
【課題を解決するための手段】
【０００６】
本発明の第１の形態の充電装置は、直流の入力電圧を生成する直流電源部と、入力電圧を交流変換するスイッチング回路と、スイッチング回路の交流出力を共振させる共振回路と、共振回路の出力を整流及び平滑して直流の出力電圧を充電負荷に投入する出力回路と、出力電圧に対応する充電電圧を検出する電圧検出回路と、スイッチング回路を所定のスイッチング周波数で駆動する駆動部及び充電電圧の上昇に対して入力電圧が上昇するように直流電源部を制御して入力電圧をフィードフォワード制御する入力電圧フィードフォワード部を含む制御回路とを備える。
【０００７】
上記充電装置によると、駆動部がスイッチング回路を所定のスイッチング周波数で駆動し、入力電圧フィードフォワード部が、充電電圧の上昇に対して入力電圧が上昇するように直流電源部を制御して入力電圧をフィードフォワード制御する。このように、充電負荷の充電電圧が比較的低い範囲において入力電圧が低減される構成により、高い充電電圧のための高い入力電圧を確保しつつ、低い充電電圧でのスイッチング回路及び共振回路における過電流状態を防止できる。したがって、共振型のスイッチング電源構成を用いる充電装置において、充電負荷の充電状態にかかわらず安定充電動作が可能となる。
【０００８】
本発明の第２の形態の充電装置は、上記第１の形態の充電装置において、制御回路が、充電電圧の上昇に対してスイッチング周波数が低下するようにスイッチング回路を制御してスイッチング周波数をフィードフォワード制御する周波数フィードフォワード部を更に含む。このように、低い充電電圧範囲において、スイッチング周波数を高くすることによって入力電圧の低下幅を減少させることができる。したがって、直流電源部によって生成される入力電圧の範囲を狭めることができ、直流電源部の設計自由度が高まる。
【０００９】
本発明の第３の形態の充電装置は、直流の入力電圧を生成する直流電源部と、入力電圧を交流変換するスイッチング回路と、スイッチング回路の交流出力を共振させる共振回路と、共振回路の出力を整流及び平滑して直流の出力電圧を充電負荷に投入する出力回路と、スイッチング回路及び共振回路に流れる１次電流を検出する電流検出回路と、スイッチング回路を所定のスイッチング周波数で駆動する駆動部及び１次電流が上限値以下となるように直流電源部を制御して入力電圧をフィードバック制御する入力電圧フィードバック部を含む制御回路とを備える。
【００１０】
上記充電装置によると、駆動部がスイッチング回路を所定のスイッチング周波数で駆動し、入力電圧フィードバック部が、１次電流が上限値以下となるように直流電源部を制御して入力電圧をフィードバック制御する。このように、充電負荷の充電電圧が比較的低い範囲において１次電流が上限値以下に制限される構成により、高い充電電圧のための高い入力電圧を確保しつつ、低い充電電圧でのスイッチング回路及び共振回路における過電流状態を確実に防止できる。したがって、共振型のスイッチング電源構成を用いる充電装置において、充電負荷の充電状態にかかわらず安定充電動作が可能となる。
【００１１】
また、上記第１又は第２の形態の充電装置において、制御回路は、充電電圧が充電設定値に到達した後に、充電電圧が充電設定値に一致するようにスイッチング回路を制御してスイッチング周波数をフィードバック制御する定電圧制御部を更に含む。また、上記第３の形態の充電装置は、出力電圧に対応する充電電圧を検出する電圧検出回路を更に備え、制御回路は、充電電圧が充電設定値に一致するようにスイッチング回路を制御してスイッチング周波数をフィードバック制御する定電圧制御部を更に含む。これにより、充電完了後に充電電圧が充電設定値に維持される。
【図面の簡単な説明】
【００１２】
【図１】本発明の第１及び第２の実施形態による充電装置の回路図である。
【図２】各実施形態における直流電源部の一例を示す回路図である。
【図３Ａ】第１の実施形態における制御回路の一例を示す回路図である。
【図３Ｂ】第１の実施形態における制御回路の他の例を示す回路図である。
【図４Ａ】図３Ａの制御回路を有する充電装置の動作を説明する図である。
【図４Ｂ】図３Ｂの制御回路を有する充電装置の動作を説明する図である。
【図５Ａ】図４Ａに対応する充電装置の動作を説明する図である。
【図５Ｂ】図４Ｂに対応する充電装置の動作を説明する図である。
【図６】本発明の第２の実施形態による充電装置の回路図である。
【図７】第２の実施形態における制御回路の一例を示す回路図である。
【図８】第２の実施形態における充電装置の動作を説明する図である。
【図９】図８に対応する充電装置の動作を説明する図である。
【図１０】本発明の第３の実施形態による充電装置の回路図である。
【図１１】第３の実施形態における制御回路の一例を示す回路図である。
【図１２】第３の実施形態における充電装置の動作を説明する図である。
【発明を実施するための形態】
【００１３】
＜第１の実施形態＞
図１に、本発明の第１の実施形態による充電装置１を示す。充電装置１は、直流電源部２、ハーフブリッジ回路３、共振回路４、出力回路５、電圧検出回路６及び制御回路７を備え、全体として共振型のスイッチング電源を構成する。充電負荷となる充電負荷１０は、充電池、コンデンサ等の容量性素子等であり、充電装置１の出力端ＯＵＴ＋及びＯＵＴ−に接続される。充電装置１において直流入力電圧（ＤＣ＋−ＤＣ−）から昇圧又は降圧される直流出力電圧（ＯＵＴ＋−ＯＵＴ−）が充電負荷１０に供給される。以降の説明において、入力電圧（ＤＣ＋−ＤＣ−）を入力電圧Ｖｄｃといい、出力電圧（ＯＵＴ＋−ＯＵＴ−）に実質的に等しい充電負荷１０の電圧を充電電圧Ｖｘというものとする。また、入力電圧ＤＣ−の電位を１次側グランドＧ１といい、出力電圧ＯＵＴ−の電位を２次側グランドＧ２というものとする。
【００１４】
直流電源部２は入力電圧Ｖｄｃを生成し、これをハーフブリッジ回路３に印加する。直流電源部２は、安定化電源装置であってもよいし、入力電源を所定の直流電圧に変換するコンバータ回路であってもよい。入力電源が交流電源である場合、コンバータ回路は力率改善回路（以下、「ＰＦＣ」という）で構成されることが好ましい。図２に、直流電源部２がＰＦＣを含む場合の回路構成の一例を示す。
【００１５】
図２に示すように、直流電源部２は、ダイオードブリッジ２０、入力コンデンサ２１、インダクタ２２、スイッチング素子２３、ダイオード２４、平滑コンデンサ２５、電圧検出抵抗２６、ＰＷＭ制御回路２７及び抵抗２８を有する。ダイオードブリッジ２０は、交流電源ＡＣに接続され、必要に応じてダイオードブリッジ２０の前段にノイズフィルタ、電流ヒューズ等が接続される。なお、各図において、説明の明瞭化のために最小限の回路素子のみが図示されるが、当業者には分かるように実際には、図示されるもの以外にも多数の抵抗、コンデンサ等の回路素子が必要に応じて適宜接続される。
【００１６】
ＰＦＣの主回路は、入力コンデンサ２１、インダクタ２２、スイッチング素子２３、ダイオード２４及び平滑コンデンサ２５によって構成され、ダイオードブリッジ２０からの全波整流電圧の入力を受ける。ＰＦＣにおいて、スイッチング素子２３がＰＷＭ制御され、スイッチング素子２３のオン期間にインダクタ２２にエネルギーが蓄えられ、スイッチング素子２３のオフ期間にそのエネルギーがダイオード２４を介してコンデンサ２５に充電される。電圧検出抵抗２６は、ＰＦＣの出力電圧、すなわちハーフブリッジ回路３への入力電圧Ｖｄｃを検出する。ＰＷＭ制御部２７は汎用のＰＦＣ制御用のＩＣ及びその周辺回路を含む。ＰＷＭ制御部２７は、電圧検出抵抗２６によって検出される電圧（端子２７ａの電圧）が内部基準電圧に等しくなるようにＰＷＭ制御のオン幅（オンデューティ）を決定するオン幅帰還機能を有し、この機能により決定されるオン幅に従ってスイッチング素子２３をＰＷＭ駆動する。抵抗２８及び制御信号Ｓについては後述する。
【００１７】
図１に戻り、ハーフブリッジ回路３は、スイッチング素子３１及び３２の直列回路からなり、その両端に入力電圧Ｖｄｃが印加される。スイッチング素子３１及び３２の各々は、例えばＭＯＳＦＥＴ、ＩＧＢＴ等のトランジスタからなる。スイッチング素子３１及び３２は制御回路７（駆動部７０）によって所定のスイッチング周波数で交互にオン／オフされ、これにより入力電圧Ｖｄｃが交流変換される。
【００１８】
共振回路４は、インダクタ４１、共振コンデンサ４２及びトランス４３の１次巻線の直列回路からなり、この直列回路がハーフブリッジ回路３の出力点（スイッチング素子３１及び３２の中点）と、一方の入力端（図１においては１次側グランドＧ１）との間に接続される。共振回路４は、ハーフブリッジ回路３の交流変換出力を電流共振させる。共振回路４の共振周波数はインダクタ４１及びトランス４３のインダクタンス及び共振コンデンサ４２の容量によって決定され、ハーフブリッジ回路３はこの共振周波数よりも高い周波数でスイッチングされる。したがって、ハーフブリッジ回路３のスイッチング周波数が高いほど、トランス４３を介して共振回路４から出力回路５に伝達される出力は低い。
【００１９】
出力回路５は、トランス４３の２次巻線Ｓ１及びＳ２、ダイオード５１及び５２並びにコンデンサ５３を含む。出力回路５は、共振回路４の出力を整流及び平滑して直流の出力電圧を充電負荷１０に投入する。トランス４３の２次巻線Ｓ１及びＳ２は、センタータップを挟んで同じ巻数を有し、２次巻線Ｓ１−Ｓ２には１次巻線Ｐに対する巻数比に応じた電圧が発生する。ダイオード５１及び５２は、２次巻線Ｓ１及びＳ２に発生する電圧を全波整流し、この全波整流出力がコンデンサ５３によって平滑される。コンデンサ５３は、出力端ＯＵＴ−及びＯＵＴ＋を介して充電負荷１０に並列接続される。
【００２０】
電圧検出回路６は、分圧用の抵抗６１及び６２を備え、充電負荷１０に並列接続される。電圧検出回路６は、充電装置１の出力電圧に対応する充電電圧Ｖｘを検出する。抵抗６２に発生する電圧が、検出される充電電圧Ｖｘとして制御回路７に入力される。
【００２１】
制御回路７は、駆動部７０、定電圧制御部７１及び入力電圧フィードフォワード部７２（以下、「入力電圧ＦＦ部７２」という）を備える。制御回路７はまた、必要に応じて、充電設定切換部７３を有していてもよい。概略として、駆動部７０がスイッチング回路３を所定のスイッチング周波数ｆで駆動する一方で、入力電圧ＦＦ部７２が、充電電圧Ｖｘの上昇に対して入力電圧Ｖｄｃが上昇するように直流電源部２を制御する。すなわち、入力電圧ＦＦ部７２は、充電電圧Ｖｘに基づいて入力電圧Ｖｄｃをフィードフォワード制御する。
【００２２】
図３Ａに、制御回路７の回路構成の一例を示す。制御回路７において、駆動部７０、定電圧制御部７１のフォトカプラ７１３のフォトトランジスタ７１３ｔ、及び入力電圧ＦＦ部７２のフォトカプラ７２３のフォトトランジスタ７２３ｔは、１次側グランドＧ１を基準電位として動作する。また、定電圧制御部７１及び入力電圧ＦＦ部７２の残余の部分並びに充電設定切換部７３は、２次側グランドＧ２を基準電位として動作する。１次側グランドＧ１を基準電位とする回路には、１次側制御電源として、例えば、入力電圧Ｖｄｃからの降下電圧、トランス４３の補助巻線電圧の整流平滑電圧等が適宜供給されるものとする。また、２次側グランドＧ２を基準電位とする回路には、２次側制御電源（Ｖｃｃ２）として、例えば、トランス４３の補助巻線電圧の整流平滑電圧、出力電圧からの降下電圧等が適宜供給されるものとする。
【００２３】
駆動部７０は、ハーフブリッジドライバＩＣ及びその周辺回路を含む。駆動部７０は、フォトトランジスタ７１３ｔの出力状態に応じたスイッチング周波数ｆでハーフブリッジ回路３を駆動する。本実施形態の駆動部７０は、フォトトランジスタ７１３ｔに流れる電流の増加／減少に応じて、スイッチング周波数ｆを上昇／低下させるように構成されているものとする。したがって、フォトトランジスタ７１３ｔに電流が流れない状態においては、スイッチング周波数ｆは下限値（周波数ｆ１）となる。この下限周波数ｆ１は、共振回路４の共振周波数よりも若干高い周波数である。一方、フォトトランジスタ７１３ｔの電流が最大値となる場合にはスイッチング周波数ｆが最大となり、又はスイッチング動作が停止される。
【００２４】
定電圧制御部７１は、オペアンプ７１０、電圧源７１１、帰還素子７１２、フォトカプラ７１３及び抵抗７１４を含む。定電圧制御部７１は、充電電圧Ｖｘが充電設定値Ｖｘｓに一致するようにスイッチング周波数ｆをフィードバック制御する。オペアンプ７１０の負入力端子（−）には電圧検出回路６によって検出された電圧検出値（充電電圧Ｖｘ）が入力され、正入力端子（＋）には電圧源７１１から充電設定値Ｖｘｓに対応する電圧値が入力される。電圧源７１１は制御電源Ｖｃｃ２の分圧点である。帰還素子７１２は抵抗、コンデンサ又はその組合せであればよい。オペアンプ７１０は、負入力端子に入力される電圧検出値（充電電圧Ｖｘ）と、正入力端子に入力される電圧値（充電設定値Ｖｘｓ）との誤差を反転増幅して出力する。すなわち、オペアンプ７１０によって、充電電圧Ｖｘが充電設定値Ｖｘｓに一致するようにスイッチング周波数ｆがフィードバック制御される。ただし、充電電圧Ｖｘが充電設定値Ｖｘｓに達する前においては、オペアンプ７１０の出力は制御電源Ｖｃｃ２の電位に固定される。オペアンプ７１０の出力端子はフォトカプラ７１３のフォトダイオード７１３ｄのカソードに接続され、フォトダイオード７１３ｄのアノードは抵抗７１４を介して制御電源Ｖｃｃ２に接続される。
【００２５】
フォトダイオード７１３ｄのカソード端の電位の低下（上昇）に応じて、フォトダイオード７１３ｄ及びフォトトランジスタ７１３ｔに流れる電流が増加（減少）する。したがって、充電電圧Ｖｘが充電設定値Ｖｘｓに達する前において、オペアンプ７１０の出力が制御電源Ｖｃｃ２の電位に等しい場合にフォトトランジスタ７１３ｔに電流は流れず、駆動部７０によってスイッチング周波数ｆは下限周波数ｆ１に固定される。そして、充電電圧Ｖｘが充電設定値Ｖｘｓに達した後においては、駆動部７０によってスイッチング周波数ｆが比較的高い範囲で制御され、あるいは、充電電圧の放電速度は充分に遅いことから、スイッチングは間欠動作状態（動作状態と停止状態を繰り返す状態）となる。
【００２６】
また、フォトカプラ７１３の入出力状態に対する駆動部７０の出力周波数の増減の方向はハーフブリッジドライバＩＣの仕様に応じて決定される。充電電圧Ｖｘが充電設定値Ｖｘｓ未満である場合にスイッチング周波数ｆとして下限周波数ｆ１が出力され、充電電圧Ｖｘが充電設定値Ｖｘｓに達した後に充電電圧Ｖｘが一定となるようにスイッチング周波数ｆが制御されるものであれば、どのようなドライバＩＣ及びその周辺回路が採用されてもよい。
【００２７】
入力電圧ＦＦ部７２は、オペアンプ７２０、電圧源７２１、抵抗７２２ａ及び７２２ｂ、フォトカプラ７２３並びに抵抗７２４を含む。オペアンプ７２０の負入力端子（−）には電圧検出回路６によって検出された電圧検出値（充電電圧Ｖｘ）が抵抗７２２ａを介して入力され、正入力端子（＋）には電圧源７２１から（後述の所定値Ｖｘ１の設定に関係する）電圧値Ｖ１が入力される。オペアンプ７２０の正入力端子と出力端子間に抵抗７２２ｂが接続される。電圧源７２１は制御電源Ｖｃｃの分圧点である。これにより、オペアンプ７２０は、負入力端子に入力される電圧検出値（充電電圧Ｖｘ）と、正入力端子に入力される電圧値Ｖ１との差分を反転増幅して出力する。オペアンプ７２０の出力端子はフォトカプラ７２３のフォトダイオード７２３ｄのカソードに接続され、フォトダイオード７２３ｄのアノードは抵抗７２４を介して制御電源Ｖｃｃ２に接続される。
【００２８】
充電電圧Ｖｘの上昇（低下）に応じて、オペアンプ７２０の出力が低下（上昇）し、フォトダイオード７２３ｄ及びフォトトランジスタ７２３ｔに流れる電流が増加（減少）し、制御信号Ｓの電位が低下（上昇）する。したがって、充電電圧Ｖｘの上昇とともにオペアンプ７２０の出力電圧が低下して最小値（例えばゼロ）となると、フォトトダイオード７２３ｄ及びフォトトランジスタ７２３ｔの電流は最大となり、制御信号Ｓの電位は最小値に固定される。
【００２９】
図２を再度参照すると、フォトトランジスタ７２３ｔのコレクタは抵抗２８を介してＰＷＭ制御部２７の端子２７ａに接続される。したがって、充電電圧Ｖｘの上昇により制御信号Ｓの電位が低下するにつれて端子２７ａの電位が低下していき、上述したＰＷＭ制御部２７のオン幅帰還機能によって入力電圧Ｖｄｃが上昇していくことになる。そして、制御信号Ｓが最小値に固定されたときに入力電圧Ｖｄｃが最大値となる。なお、入力電圧ＦＦ部７２において、充電電圧Ｖｘの上昇（低下）に対する入力電圧Ｖｄｃの上昇（低下）の関係が上述したものである限り、他の回路構成が採用されてもよい。
【００３０】
図３Ａに戻り、充電設定切換部７３は、例えばスイッチ７３０及び抵抗７３１を含み、外部入力又は外部信号によってスイッチ７３０が開閉される。スイッチ７３０の開／閉によって電圧源７１１の電圧値が上昇／低下し、したがって、充電設定値Ｖｘｓが上昇／低下する。スイッチ７３０は、ディップスイッチ、トグルスイッチ等の手動スイッチであってもよいし、外部信号によって制御可能なトランジスタ等のスイッチ素子であってもよい。このように、充電設定切換部７３によって、充電設定値Ｖｘｓを外部から変更することが可能となる。
【００３１】
図４Ａに、図３Ａに対応する充電装置１における充電電圧Ｖｘと入力電圧Ｖｄｃの関係の一例を示す。図４Ａ及び後述の図５Ａにおいて、充電電圧Ｖｘについて、Ｖｘ１及びＶｘｓは所定値及び充電設定値をそれぞれ表し、入力電圧Ｖｄｃについて、Ｖｄｃ０及びＶｄｃ３は最小値及び最大値をそれぞれ表す。図４Ａに示すように、Ｖｘ＝０においてＶｄｃ＝Ｖｄｃ０となり、０≦Ｖｘ＜Ｖｘ１において入力電圧Ｖｄｃが連続的に上昇する。Ｖｘ１≦Ｖｘ≦Ｖｘｓにおいて、Ｖｄｃ＝Ｖｄｃ３となる。本例では、所定値Ｖｘ１は充電設定値Ｖｘｓよりも低い値として設定されているが、適用される充電設定値Ｖｘｓによっては、所定値Ｖｘ１は充電電圧値Ｖｓｘ以上の値であってもよい。この場合、入力電圧Ｖｄｃの最大値が上記Ｖｄｃ３とは異なる。
【００３２】
所定値Ｖｘ１は電圧源７２１の電圧値及びオペアンプ７２０での増幅率によって決まり、充電設定値Ｖｘｓは実質的に電圧源７１１の電圧値によって決まる。そして、制御信号Ｓが最小値となる状態でＶｄｃ＝Ｖｄｃ０となるとともに、制御信号Ｓが最大値となる状態でＶｄｃ＝Ｖｄｃ３となるように、抵抗２６１、２６２、２８、７２２ａ、７２２ｂ、７２４等の各定数が設定される。
【００３３】
ここで、最小値Ｖｄｃ０は、Ｖｘ＝０でハーフブリッジ回路３が周波数ｆ１でスイッチングされた場合にハーフブリッジ回路３及び共振回路４が過電流とならないような電圧である。最大値Ｖｄｃ３は、直流電源部２（本例ではＰＦＣ）の最大出力設定値であり、スイッチング周波数ｆ１が共振回路４の共振周波数に対して充分なマージンを確保できるような値に設定されればよい。なお、充電設定切換部７３が設けられる場合、適用され得る複数の充電設定値Ｖｘｓについて、所定値Ｖｘ１、最小値Ｖｄｃ０及び最大値Ｖｄｃ３の変更を要しないように充電装置１全体が設計されることが、汎用性の観点から好ましい。
【００３４】
図５Ａに、図４Ａに対応する充電電圧Ｖｘ（下段）及び入力電圧Ｖｄｃ（上段）の時間的変化を示す（横軸は時間である）。
時刻ｔ０において、充電が開始される。この時点で、入力電圧ＦＦ部７２の制御により、Ｖｄｃ＝Ｖｄｃ０となる。時刻ｔ０以降において、充電電圧Ｖｘの上昇とともに、入力電圧ＦＦ部７２の制御により、入力電圧Ｖｄｃが連続的に上昇していく。
【００３５】
時刻ｔ１において、Ｖｘ＝Ｖｘ１となると、図４Ａに示した設定により、Ｖｄｃ＝Ｖｄｃ３となる。時刻ｔ１以降においては、入力電圧ＦＦ部７２の出力が固定され、充電電圧Ｖｘの増加にかかわらず入力電圧Ｖｄｃが最大値Ｖｄｃ３に維持される。
【００３６】
時刻ｔ２において、Ｖｘ＝Ｖｘｓとなり、その後、定電圧制御部７１の定電圧制御により、充電電圧Ｖｘが充電設定値Ｖｘｓに維持される。
【００３７】
図３Ｂに、制御回路７の他の回路構成の他の例を示す。図３Ｂの制御回路７は、図３Ａの制御回路７とは、入力電圧ＦＦ部７２の構成が異なる。本例では、入力電圧ＦＦ部７２は、フォトカプラ７２３及び抵抗７２４に加えて、コンパレータ７２５ａ〜７２５ｄ、電圧源７２６ａ〜７２６ｄ及び抵抗７２７ａ〜７２７ｃを備える。コンパレータ７２５ａ〜７２５ｄの各々の負入力端子（−）には電圧検出回路６からの電圧検出値（充電電圧Ｖｘ）が入力される。コンパレータ７２５ａ、７２５ｂ、７２５ｃ及び７２５ｄの正入力端子（＋）には電圧源７２６ａ、７２６ｂ、７２６ｃ及び７２６ｄがそれぞれ接続される。電圧源７２６ａ、７２６ｂ、７２６ｃ及び７２６ｄのそれぞれの電圧値Ｖａ、Ｖｂ、Ｖｃ及びＶｄは制御電源Ｖｃｃ２の分圧値であり、Ｖａ＜Ｖｂ＜Ｖｃ＜Ｖｄであるものとする。コンパレータ７２５ａ、７２５ｂ及び７２５ｃの出力端子はそれぞれ抵抗７２７ａ、７２７ｂ及び７２７ｃを介してフォトダイオード７２３ｄのカソードに接続され、コンパレータ７２５ｄの出力端子は直接フォトダイオード７２３ｄのカソードに接続される。
【００３８】
充電電圧Ｖｘが上昇すると、コンパレータ７２５ａ〜７２５ｄの出力が、この順に、論理ハイ（オープン）から論理ロー（ゼロ）に反転していき、これに応じてフォトダイオード７２３ｄ及びフォトトランジスタ７２３ｔに流れる電流が増加していく。したがって、充電電圧Ｖｘが上昇するにつれて、制御信号Ｓの電位が段階的に低下する。これにより、充電電圧Ｖｘの上昇により制御信号Ｓの電位が低下するにつれて端子２７ａの電位が段階的に低下していき、上述したＰＷＭ制御部２７のオン幅帰還機能によって入力電圧Ｖｄｃが段階的に上昇していくことになる。なお、入力電圧ＦＦ部７２において、充電電圧Ｖｘの上昇（低下）に対する入力電圧Ｖｄｃの上昇（低下）の関係が上述したものである限り、他の回路構成が採用されてもよい。
【００３９】
図４Ｂに、図３Ｂに対応する充電装置１における充電電圧Ｖｘと入力電圧Ｖｄｃの関係の一例を示す。図４Ｂ及び後述の図５Ｂにおいて、充電電圧Ｖｘについて、Ｖｘａ〜Ｖｘｄは電圧値Ｖａ〜Ｖｄに対応する電圧値をそれぞれ表し、Ｖｘｓは充電設定値を表す。入力電圧Ｖｄｃについて、Ｖｄｃ０及びＶｄｃ３は最小値及び最大値をそれぞれ表す。図４Ｂに示すように、充電電圧Ｖｘが上昇して電圧値Ｖｘａ〜Ｖｘｄを超える毎に入力電圧Ｖｄｃが段階的に切り換えられる。本例では、電圧値Ｖｘｄが充電設定値Ｖｘｓよりも低い値として設定されているが、適用される充電設定値Ｖｘｓによっては、電圧値Ｖｘｄ（又は電圧値Ｖｘｃ及びＶｘｄ）は充電電圧値Ｖｓｘ以上の値となってもよい。この場合、コンパレータ７２５ｄ（又はコンパレータ７２５ｃ及び７２５ｄ）は実質的に機能しない。
【００４０】
図５Ｂに、図４Ｂに対応する充電電圧Ｖｘ（下段）及び入力電圧Ｖｄｃ（上段）の時間的変化を示す（横軸は時間である）。
時刻ｔ０において、充電が開始される。この時点で、入力電圧ＦＦ部７２の制御により、Ｖｄｃ＝Ｖｄｃ０となる。時刻ｔ０以降において、充電電圧Ｖｘが上昇する。時刻ｔ１ａ〜ｔ１ｄにおいて充電電圧Ｖｘがそれぞれ電圧値Ｖｘａ〜Ｖｘｄを超える毎に、入力電圧ＦＦ部７２の制御により、入力電圧Ｖｄｃが段階的に上昇していく。時刻ｔ１ｄにおいて、Ｖｘ＝Ｖｘｄとなると、図４Ｂに示した設定により、Ｖｄｃ＝Ｖｄｃ３となる。
【００４１】
時刻ｔ１ｄ以降は、図５Ａと同様である。すなわち、入力電圧ＦＦ部７２の出力が固定され、充電電圧Ｖｘの増加にかかわらず入力電圧Ｖｄｃが最大値Ｖｄｃ３に維持される。そして、時刻ｔ２において、Ｖｘ＝Ｖｘｓとなり、その後、定電圧制御部７１の定電圧制御により、充電電圧Ｖｘが充電設定値Ｖｘｓに維持される。
【００４２】
以上のように、本実施形態による充電装置１は、入力電圧Ｖｄｃを生成する直流電源部２と、入力電圧Ｖｄｃを交流変換するハーフブリッジ回路３と、ハーフブリッジ回路３の交流出力を共振させる共振回路４と、共振回路４の出力を整流及び平滑して出力電圧を充電負荷１０に投入する出力回路５と、出力電圧に対応する充電電圧Ｖｘを検出する電圧検出回路６と、制御回路７を備える。制御回路７において、駆動部７０は、ハーフブリッジ回路３を所定のスイッチング周波数ｆ１で駆動し、入力電圧ＦＦ部７２は、充電電圧Ｖｘの上昇に対して入力電圧Ｖｄｃが上昇するように直流電源部２を制御して入力電圧Ｖｄｃをフィードフォワード制御する。このように、充電負荷１０の充電電圧が比較的低い範囲においては入力電圧Ｖｄｃが低減される構成により、高い充電電圧のための高い入力電圧（例えば、最大値Ｖｄｃ３）を確保しつつ、低い充電電圧でのハーフブリッジ回路３及び共振回路４における過電流状態を防止できる。したがって、共振型のスイッチング電源構成を用いる充電装置１において、充電負荷１０の充電状態にかかわらず安定充電動作が可能となる。
【００４３】
＜第２の実施形態＞
上記第１の実施形態では、充電電圧Ｖｘが充電設定値Ｖｘｓ未満である範囲においてはスイッチング周波数ｆが固定される構成を示したが、本実施形態では、所定の充電電圧範囲においてスイッチング周波数ｆが充電電圧Ｖｘに基づいてフィードフォワード制御される構成を示す。
【００４４】
図６に、本実施形態による充電装置１を示す。本実施形態と第１の実施形態とでは、制御回路７の構成が異なり、他の構成は実質的に同様である。同様の構成には同様の符号を付し、重複する説明を省略する。
【００４５】
制御回路７は、駆動部７０、定電圧制御部７１、入力電圧ＦＦ部７２、周波数フィードフォワード部７４（以下「周波数ＦＦ部７４」という）を備え、必要に応じて充電設定切換部７３を備える。周波数ＦＦ部７４は、２次側グランドＧ２を基準電位として制御電源Ｖｃｃ２によって動作する。制御回路７において、定電圧制御部７１が実質的に機能しない充電電圧範囲（充電電圧Ｖｘ＜充電設定値Ｖｘｓの場合）においては、充電電圧Ｖｘの上昇に応じて、入力電圧ＦＦ部７２が入力電圧Ｖｄｃを上昇させるとともに、周波数ＦＦ部７４がスイッチング周波数ｆを低下させる。すなわち、入力電圧ＦＦ部７２及び周波数ＦＦ部７４が、充電電圧Ｖｘに基づいて、それぞれ入力電圧Ｖｄｃ及びスイッチング周波数ｆをフィードフォワード制御する。
【００４６】
図７に、周波数ＦＦ部７４を含む制御回路７の回路構成の一例を示す。周波数ＦＦ部７４は、コンパレータ７４０、電圧源７４１、抵抗７４２及びダイオード７４５を含む。定電圧制御部７１は、第１の実施形態の構成に加えて、オペアンプ７１０の出力端とフォトダイオード７１３ｄのカソードの間に接続されたダイオード７１５を含む。コンパレータ７４０の正入力端子（＋）には電圧検出回路６による電圧検出値（充電電圧Ｖｘ）が入力され、負入力端子（−）には電圧源７４１の電圧値Ｖ２が入力される。電圧源７４１は制御電源Ｖｃｃ２の分圧点であり、その電圧値Ｖ２は電圧源７１１の電圧値よりも低い。コンパレータ７４０の出力端子は、抵抗７４２及びダイオード７４５を介してフォトダイオード７１３ｄのカソードに接続される。コンパレータ７４０の出力は、論理ローでゼロとなり、論理ハイでオープンとなるものとする。
【００４７】
電圧検出値（充電電圧Ｖｘ）が電圧値Ｖ２未満である場合には、コンパレータ７４０の出力はゼロとなる。このとき、電圧検出値（充電電圧Ｖｘ）は電圧源７１１の電圧値未満でもあることから、定電圧制御部７１に関して上述したようにオペアンプ７１０の出力は制御電源Ｖｃｃ２に等しくなる。したがって、ダイオード７４５がオン、ダイオード７１５がオフとなり、フォトダイオード７１３ｄ、ダイオード７４５及び抵抗７４２を介して電流が流れ、これに応じてフォトトランジスタ７１３ｔに電流が流れる。これにより、駆動部７０は、周波数ｆ１よりも高い周波数ｆ２をスイッチング周波数ｆとして出力する。
【００４８】
電圧検出値（充電電圧Ｖｘ）が電圧値Ｖ２以上でかつ電圧源７１１の電圧値未満である場合には、コンパレータ７４０の出力はオープンとなり、かつオペアンプ７１０の出力も制御電源Ｖｃｃ２に等しい。したがって、ダイオード７４５及び７１５はオフとなり、フォトダイオード７１３ｄ及びフォトトランジスタ７１３ｔに電流は流れず、駆動部７０は周波数ｆ１をスイッチング周波数ｆとして出力する。
【００４９】
電圧検出値（充電電圧Ｖｘ）が電圧源７１１の電圧値以上の場合には、コンパレータ７４０の出力がオープンの状態で、オペアンプ７１０の出力電圧が低下する。したがって、ダイオード７４５がオフ、ダイオード７１５がオンとなり、定電圧制御部７１による定電圧制御が実行される。すなわち、周波数ＦＦ部７４は、定電圧制御部７１の定電圧制御動作に影響しない。
【００５０】
図８に、充電装置１における充電電圧Ｖｘに対する入力電圧Ｖｄｃ及びスイッチング周波数ｆの関係の一例を示す。図８及び後述の図９において、充電電圧Ｖｘについて、Ｖｘ１及びＶｘ２は所定値を表し、Ｖｘｓは充電設定値を表す。入力電圧Ｖｄｃについて、Ｖｄｃ１及びＶｄｃ３は最小値及び最大値をそれぞれ表す。図８に示すように、Ｖｘ＝０においてＶｄｃ＝Ｖｄｃ１となり、Ｖｘ＝Ｖｘ１においてＶｄｃ＝Ｖｄｃ３となり、Ｖｘ≦Ｖｘ２においてｆ＝ｆ２となり、Ｖｘ２＜Ｖｘにおいてｆ＝ｆ１となるように、各回路定数が設定される。なお、本例においては、Ｖｘ２＜Ｖｘ１であるが、Ｖｘ１≦Ｖｘ２であってもよい。ただし、いずれの場合であっても、Ｖｘ２＜Ｖｘｓであることが望ましい。
【００５１】
所定値Ｖｘ２は電圧源７４１の電圧値Ｖ２によって決まり、充電設定値Ｖｘｓ及び所定値Ｖｘ１は第１の実施形態と同様に決まる。そして、制御信号Ｓが最小値となる状態でＶｄｃ＝Ｖｄｃ１となり、制御信号Ｓが最大値となる状態でＶｄｃ＝Ｖｄｃ３となるように、抵抗２６１、２６２、２８、７２２ａ、７２２ｂ、７２４等の定数が設定される。また、フォトダイオード７１３ｄに電流が流れない状態でｆ＝ｆ１となり、フォトダイオード７１３ｄに抵抗７４２を介して電流が流れる状態でｆ＝ｆ２となるように抵抗７１４、抵抗７４２及び駆動部７０内の回路の各定数が設定される。
【００５２】
最小値Ｖｄｃ１は、Ｖｘ＝０において、ハーフブリッジ回路３が周波数ｆ２でスイッチングされた場合にハーフブリッジ回路３及び共振回路４が過電流とならないような電圧である。最大値Ｖｄｃ３は、第１の実施形態と同様に、直流電源部２（本例ではＰＦＣ）の最大出力設定値である。なお、充電設定切換部７３が設けられる場合、適用され得る複数の充電設定値Ｖｘｓについて、所定値Ｖｘ１、最小値Ｖｄｃ１及び最大値Ｖｄｃ３の変更を要しないように充電装置１全体が設計されることが、汎用性の観点から好ましい。
【００５３】
ここで、最小値Ｖｄｃ１は、第１の実施形態で示した最小値Ｖｄｃ０よりも高い。これは、低い充電電圧範囲において、周波数ｆ１よりも高い周波数ｆ２がスイッチング周波数ｆとして適用されることにより、周波数ｆ１が適用される場合と比べてハーフブリッジ回路３及び共振回路４の回路電流が低減されることによる。これにより、低い充電電圧範囲において、入力電圧Ｖｄｃの（最大値Ｖｄｃ３からの）低減量を減少させることが可能となる。
【００５４】
図９に、下段から、図８に対応する充電電圧Ｖｘ、スイッチング周波数ｆ及び入力電圧Ｖｄｃの時間的変化を示す（横軸は時間である）。
時刻ｔ１０において、充電が開始される。この時点で、入力電圧ＦＦ部７２の制御により、Ｖｄｃ＝Ｖｄｃ１となり、周波数ＦＦ部７４の制御により、ｆ＝ｆ２となる。時刻ｔ１０以降において、充電電圧Ｖｘの上昇とともに、入力電圧ＦＦ部７２の制御によって入力電圧Ｖｄｃが上昇していく。
【００５５】
時刻ｔ１１において、Ｖｘ＝Ｖｘ２となり、周波数ＦＦ部７４の制御により、スイッチング周波数ｆがｆ２からｆ１に切り換えられる。
【００５６】
時刻ｔ１２において、Ｖｘ＝Ｖｘ１となると、図８に示した設定により、Ｖｄｃ＝Ｖｄｃ３となる。時刻ｔ１２以降においては、入力電圧ＦＦ部７２の出力が固定され、充電電圧Ｖｘの増加かかわらず入力電圧Ｖｄｃが最大値Ｖｄｃ３に維持される。
【００５７】
時刻ｔ１３において、Ｖｘ＝Ｖｘｓとなり、その後、定電圧制御部７１の定電圧制御により、充電電圧Ｖｘが充電設定値Ｖｘｓに維持される。
【００５８】
なお、本実施形態では、スイッチング周波数ｆのｆ２からｆ１への変化を１段階としたが、この変化が多段階的又は連続的となるように構成されてもよい。例えば、充電電圧Ｖｘの増加に対してスイッチング周波数ｆがｆ２からｆ１へ単調減少するようにしてもよい。また、本実施形態では、充電電圧Ｖｘの上昇に対して入力電圧Ｖｄｃが連続的に上昇する構成を示したが、充電電圧Ｖｘの上昇に対して入力電圧Ｖｄｃが段階的に上昇するように構成してもよい（図３Ｂ、図４Ｂ及び図５Ｂ参照）。
【００５９】
以上のように、本実施形態の充電装置１においては、制御回路７が周波数ＦＦ部７４を含み、周波数ＦＦ部７４は、充電電圧Ｖｘの上昇に対してスイッチング周波数ｆが低下するようにハーフブリッジ回路３を制御してスイッチング周波数ｆをフィードフォワード制御する。このように、低い充電電圧範囲において、スイッチング周波数ｆを高くすることにより入力電圧Ｖｄｃの（最大値Ｖｄｃ３からの）低減幅を減少させることができる。したがって、上述した第１の実施形態における有利な効果に加えて、直流電源部２によって生成される入力電圧の範囲を狭めることができ、直流電源部２の設計自由度が高まる。
【００６０】
＜第３の実施形態＞
上記第１の実施形態では、充電電圧Ｖｘに基づいて入力電圧Ｖｄｃがフィードフォワード制御される構成を示したが、本実施形態では、ハーフブリッジ回路３及び共振回路４に流れる１次電流に基づいて入力電圧Ｖｄｃがフィードバック制御される構成を示す。
【００６１】
図１０に、本実施形態の充電装置１を示す。本実施形態と第１の実施形態とでは、制御回路７及び電流検出回路８の構成が異なり、他の構成は実質的に同様である。同様の構成には同様の符号を付し、重複する説明を省略する。
【００６２】
電流検出回路８（以下、「電流検出抵抗８」ともいう）は低抵抗素子からなり、ハーフブリッジ回路３の低電位端と共振回路４の低電位端との接続点と、１次側グランドＧ１との間に挿入接続される。代替構成として、電流検出抵抗８は、共振回路４の低電位端と１次側グランドＧ１との接続点と、ハーフブリッジ回路３の低電位端との間に接続される構成（すなわち、電流検出抵抗８、トランジスタ３２、インダクタ４１、トランス４３の１次巻線Ｐ及び共振コンデンサ４２が閉ループを形成する構成）としてもよい。電流検出抵抗８は、ハーフブリッジ回路３及び共振回路４に流れる１次電流を検出する。
【００６３】
制御回路７は、駆動部７０、定電圧制御部７１及び入力電圧フィードバック制御部７５（以下、「入力電圧ＦＢ部７５」という）を備え、必要に応じて充電設定切換部７３を備える。入力電圧ＦＢ部７５には、電流検出抵抗８によって検出された電流検出値（１次電流）が入力される。概略として、駆動部７０がスイッチング回路３を所定のスイッチング周波数ｆで駆動する一方で、入力電圧ＦＢ部７５が１次電流に基づいて直流電源部２の入力電圧Ｖｄｃをフィードバック制御する。
【００６４】
図１１に、本実施形態の制御回路７の回路構成の一例を示す。入力電圧ＦＢ部７５は、オペアンプ７５０、電圧源７５１、帰還素子７５２及びダイオード７５３を備える。入力電圧ＦＢ部７５は、１次側グランドＧ１を基準電位として、１次側制御電源によって動作する。オペアンプ７５０の正入力端子（＋）には電流検出抵抗８によって検出された電流検出値（１次電流）が入力され、負入力端子（−）には１次電流の上限値に対応する電圧値が電圧源７５１から入力される。電圧源７５１は１次側制御電源の分圧点である。ここで、１次電流の上限値は、ハーフブリッジ回路３のスイッチング素子３１及び３２の電流定格値、ハーフブリッジ回路３及び共振回路４の許容温度上昇等を考慮して設定される。オペアンプ７５０の出力端子と正入力端子の間に帰還素子７５２（抵抗、コンデンサ又はその組合せ）が接続され、出力端子はダイオード７５３を介して直流電源部２の抵抗２８（図２参照）に接続される。
【００６５】
オペアンプ７５０は、正入力端子に入力される電流検出値（１次電流）と、負入力端子に入力される電圧値（上限値）との誤差を非反転増幅して出力する。すなわち、オペアンプ７５０によって、１次電流が上限値に一致するように制御信号Ｓが出力される。ただし、入力電圧Ｖｄｃには上限値（最大値Ｖｄｃ３）が設定されているので、１次電流が上限値以下となる場合にはＶｄｃ＝Ｖｄｃ３となり、オペアンプ７５０の出力はゼロに固定される。これにより、充電開始時等のように低い充電電圧範囲において、１次電流が上限値に一致するように、入力電圧ＦＢ部７５及び直流電源部２によって入力電圧Ｖｄｃが低減される。一方、充電終了付近等のように高い充電電圧範囲においては、１次電流は上限値以下となり、入力電圧Ｖｄｃは最大値Ｖｄｃ３で一定となる。
【００６６】
図１２に、下段から、充電電圧Ｖｘ、１次電流及び入力電圧Ｖｄｃの時間的変化を示す（横軸は時間である）。図において、Ｖｄｃ２及びＶｄｃ３は入力電圧Ｖｄｃの最小値及び最大値をそれぞれ表し、Ｖｘｓは充電設定値を表す。
【００６７】
時刻ｔ２０において、充電が開始される。この時点で、入力電圧ＦＢ部７５の制御により、１次電流は上限値となり、Ｖｄｃ＝Ｖｄｃ２となる。なお、不図示であるが、スイッチング周波数ｆは下限周波数ｆ１に固定されているものとする。時刻ｔ２０以降において、充電電圧Ｖｘが上昇していき、入力電圧ＦＢ部７５の制御により、１次電流は上限値に維持されつつ入力電圧Ｖｄｃが上昇していく。
【００６８】
時刻ｔ２１以降において、充電電圧Ｖｘの増加とともに１次電流が上限値から低下していく。したがって、入力電圧ＦＢ部７５の出力が固定され、入力電圧Ｖｄｃは最大値Ｖｄｃ３で一定となる。
【００６９】
時刻ｔ２２において、Ｖｘ＝Ｖｘｓとなり、定電圧制御部７１の定電圧制御によるスイッチング周波数ｆのフィードバック制御が開始される。時刻ｔ２２以降は、定電圧制御によるスイッチング周波数ｆの変化に応じて１次電流が変化し得る。
【００７０】
なお、Ｖｘ＝Ｖｘｓにおいて充電電圧Ｖｘを維持するための１次電流は、Ｖｘ＜Ｖｘｓにおいて充電電圧Ｖｘを上昇させるための１次電流よりも小さくなるので、必然的に１次電流の上限値よりも小さくなる。したがって、定電流制御部７１によるスイッチング周波数ｆのフィードバック制御と、入力電圧ＦＢ部７５による入力電圧Ｖｄｃのフィードバック制御とが競合することはない。また、本実施形態でも、第２の実施形態と同様に周波数ＦＦ部７４が設けられてもよく、これにより最小値Ｖｄｃ２を上昇させることができる。
【００７１】
以上のように、本実施形態の充電装置１は、入力電圧Ｖｄｃを生成する直流電源部２と、入力電圧を交流変換するハーフブリッジ回路３と、ハーフブリッジ回路３の交流出力を共振させる共振回路４と、共振回路４の出力を整流及び平滑して直流の出力電圧を充電負荷１０に投入する出力回路５と、ハーフブリッジ回路３及び共振回路４に流れる１次電流を検出する電流検出抵抗８と、制御回路７を備える。制御回路７において、駆動部７０は、ハーフブリッジ回路３を所定のスイッチング周波数で駆動し、入力電圧ＦＢ部７５は、１次電流が上限値以下となるように直流電源部２を制御して入力電圧Ｖｄｃをフィードバック制御する。このように、充電負荷１０の充電電圧が比較的低い範囲において１次電流が上限値以下に制限される構成により、高い充電電圧のための高い入力電圧を確保しつつ、低い充電電圧でのハーフブリッジ回路３及び共振回路４における過電流状態を確実に防止できる。したがって、共振型のスイッチング電源構成を用いる充電装置１において、充電負荷１０の充電状態にかかわらず安定充電動作が可能となる。また、入力電圧ＦＢ部７５が１次側グランドＧ１を基準電位として構成され、２次側グランドＧ２を含まないため、基準電位を変換するためのフォトカプラが不要となり、簡素な回路が実現される。
【００７２】
＜変形例＞
以上に本発明の好適な実施形態を示したが、本発明は、例えば以下に示すように種々の態様に変形可能である。
【００７３】
（１）ハーフブリッジ回路３の変形
上記各実施形態では、入力電圧Ｖｄｃを交流変換するスイッチング回路としてハーフブリッジ回路３を示したが、スイッチング回路はフルブリッジ回路であってもよい。この場合、フルブリッジ回路は、端子ＤＣ＋−ＤＣ−間に直列接続された第１のスイッチング素子（ハイサイド）及び第２のスイッチング素子（ローサイド）、並びに端子ＤＣ＋−ＤＣ−間に直列接続された第３のスイッチング素子（ハイサイド）及び第４のスイッチング素子（ローサイド）を備える。フルブリッジ回路の一方の出力点（第１及び第２のスイッチング素子の中点）と他方の出力点（第３及び第４のスイッチング素子の中点）との間に、インダクタ４１、共振コンデンサ４２及びトランス４３の１次巻線Ｐの直列回路が接続される。そして、第１及び第４のスイッチング素子の組と第２及び第３のスイッチング素子の組とが、フルブリッジドライバＩＣ等を備えた駆動部７０によって、上述したスイッチング周波数で交互にオンオフされる。
【００７４】
（２）制御回路７の内部構成の変形
上記各実施形態では、制御回路７を構成する各部の回路を例示したが、各部の構成は開示したものに限られず、同じ目的を達成するのに種々の回路構成が採用され得る。また、制御回路７を構成する各部の回路をアナログ回路によって例示したが、各部はマイコン等を用いたデジタル回路によって構成されてもよい。
【符号の説明】
【００７５】
１  充電装置
２  直流電源部
３  ハーフブリッジ回路（スイッチング回路）
４  共振回路
５  出力回路
６  電圧検出回路
７  制御回路
８  電流検出抵抗（電流検出回路）
１０  充電負荷
７０  駆動部
７１  定電圧制御部
７２  入力電圧ＦＦ部
７３  充電設定切換部
７４  周波数ＦＦ部
７５  入力電圧ＦＢ部
【図１】
2017060236.tif 000003
【図２】
2017060236.tif 000004
【図３Ａ】
2017060236.tif 000005
【図３Ｂ】
2017060236.tif 000006
【図４Ａ】
2017060236.tif 000007
【図４Ｂ】
2017060236.tif 000008
【図５Ａ】
2017060236.tif 000009
【図５Ｂ】
2017060236.tif 000010
【図６】
2017060236.tif 000011
【図７】
2017060236.tif 000012
【図８】
2017060236.tif 000013
【図９】
2017060236.tif 000014
【図１０】
2017060236.tif 000015
【図１１】
2017060236.tif 000016
【図１２】
2017060236.tif 000017